(57)【要約】【課題】  引き出されたラップフィルムを信頼性よく切断することのできる収納箱を提供する。【解決手段】  開口２０Ａを有し、開口２０Ａを通してラップフィルム４２が配置される箱本体２０と、箱本体２０の開口２０Ａの一辺に折り曲げ可能に連結され、開口２０Ａを覆ったときに前記一辺の対向辺２８を一つの辺とする箱本体２０の前面２１を被う対向面３２と、対向面３２の下端辺に取付けられたカット刃５０と、を有する蓋体３０と、箱本体２０の前面２１の対向面３２が被う領域に形成され、箱本体２０から引き出されるラップフィルム４２を粘着する仮止め層６０と、を備え、ラップフィルム４２が、ポリエチレン層とポリメチルペンテン層の積層構造からなり、仮止め層６０が、ほぼ中央に間隙部Ｇを有して対向辺２８に沿って箱本体２０の両脇へそれぞれ延在し、間隙部Ｇにおいて幅狭に、前記両脇のそれぞれにおいて幅広に形成されている。【選択図】図１
2015199526.tif 000002
【特許請求の範囲】
【請求項１】
ロール状のラップフィルムを収納する収納箱であって、
開口を有し、前記開口を通して前記ラップフィルムが配置される箱本体と、
前記箱本体の前記開口の一辺に折り曲げ可能に連結され、前記開口を覆ったときに前記一辺の対向辺を一つの辺とする前記箱本体の前面を被う対向面と、前記対向面の下端辺に取付けられたカット刃と、を有する蓋体と、
前記箱本体の前記前面の前記対向面が被う領域に形成され、前記箱本体から引き出されるラップフィルムを粘着する仮止め層と、
を備え、
前記ラップフィルムが、ポリエチレン層とポリメチルペンテン層の積層構造からなり、
前記仮止め層が、ほぼ中央に間隙部を有して前記対向辺に沿って前記箱本体の両脇へそれぞれ延在し、前記間隙部において幅狭に、前記両脇のそれぞれにおいて幅広に形成されていることを特徴とする収納箱。
【請求項２】
前記ラップフィルムが、６．５Ｎ／１５ｍｍ以上の縦方向の引っ張り強度を有し、１７０％以下の縦方向の破断点の伸びを有することを特徴とする請求項１に記載の収納箱。
【請求項３】
前記カット刃が板紙製およびプラスチック製のいずれかであることを特徴とする請求項１に記載の収納箱。
【請求項４】
前記箱本体および前記蓋体が板紙からなり、前記板紙が５００ｇ／ｍ２以上７２０ｇ／ｍ２以下の坪量を有することを特徴とする請求項１に記載の収納箱。
【請求項５】
前記箱本体の前記前面のほぼ中央に凹状のエンボスが形成されていることを特徴とする請求項１に記載の収納箱。
【発明の詳細な説明】
【技術分野】
【０００１】
本発明は収納箱に関し、特に、ロール状のラップフィルムを収納する収納箱に関する。
【背景技術】
【０００２】
この種の収納箱としては、開口を通してラップフィルムが配置される箱本体と、該箱本体の開口の一辺に折り曲げ可能に連結され該開口を覆ったときに箱本体の上方の前面および側面を被う対向面とを有する蓋体と、から構成されているものが開示されている（特許文献１参照）。また、箱本体の上方の前面を被う蓋体の対向面の下端辺にカット刃が取付けられ、このカット刃によって、収納箱の外部へ引き出されたラップフィルムを切断できるものが開示されている（特許文献２参照）。
【０００３】
この場合、ラップフィルムが伸び易く皺が生じ易い性質を有するため、カット刃によって所望の部分に引っ掛かり難く、該カット刃の延在方向に沿った信頼性ある切断ができないという不都合を有していた。
【先行技術文献】
【特許文献】
【０００４】
【特許文献１】特許第４５６２２７６号
【特許文献２】特開２０１４−５０７９号
【発明の概要】
【発明が解決しようとする課題】
【０００５】
本発明は、このような事情に鑑みてなされたものであり、その目的は、引き出されたラップフィルムを信頼性よく切断することのできる収納箱を提供することにある。
【課題を解決するための手段】
【０００６】
本発明は、以下の構成によって把握される。
（１）本発明の収納箱は、ロール状のラップフィルムを収納する収納箱であって、開口を有し、前記開口を通して前記ラップフィルムが配置される箱本体と、前記箱本体の前記開口の一辺に折り曲げ可能に連結され、前記開口を覆ったときに前記一辺の対向辺を一つの辺とする前記箱本体の前面を被う対向面と、前記対向面の下端辺に取付けられたカット刃と、を有する蓋体と、前記箱本体の前記前面の前記対向面が被う領域に形成され、前記箱本体から引き出されるラップフィルムを粘着する仮止め層と、を備え、前記ラップフィルムが、ポリエチレン層とポリメチルペンテン層の積層構造からなり、前記仮止め層が、ほぼ中央に間隙部を有して前記対向辺に沿って前記箱本体の両脇へそれぞれ延在し、前記間隙部において幅狭に、前記両脇のそれぞれにおいて幅広に形成されていることを特徴とする。
（２）本発明の収納箱は、（１）の構成において、前記ラップフィルムが、６．５Ｎ／１５ｍｍ以上の縦方向の引っ張り強度を有し、１７０％以下の縦方向の破断点の伸びを有することを特徴とする。
（３）本発明の収納箱は、（１）の構成において、前記カット刃が板紙製およびプラスチック製のいずれかであることを特徴とする。
（４）本発明の収納箱は、（１）の構成において、前記箱本体および前記蓋体が板紙からなり、前記板紙が５００ｇ／ｍ２以上７２０ｇ／ｍ２以下の坪量を有することを特徴とする。
（５）本発明の収納箱は、（１）の構成において、前記箱本体の前記前面のほぼ中央に凹状のエンボスが形成されていることを特徴とする。
【発明の効果】
【０００７】
このような収納箱によれば、引き出されたラップフィルムを信頼性よく切断することができるようになる。
【図面の簡単な説明】
【０００８】
【図１】本発明の収納箱の実施形態１を示す斜視図である。
【図２】本発明の収納箱に収納されるフィルムロール体を示す斜視図である。
【図３】収納箱から引き出されたラップフィルムを切断する場合を示した説明図である。
【図４】収納箱から引き出されたラップフィルムと仮止め層の位置関係を示した平面図である。
【図５】（ａ）〜（ｅ）は本発明の収納箱の他の実施形態を示す説明図である。
【発明を実施するための形態】
【０００９】
以下、添付図面を参照して、本発明を実施するための形態（以下、実施形態）について詳細に説明する。なお、実施形態の説明の全体を通して同じ要素には同じ番号を付している。
【００１０】
（実施形態１）
図１は、本発明の収納箱の実施形態１を示す斜視図である。図１に示す収納箱１０は箱本体２０と蓋体３０とを有するようになっている。これら箱本体２０および蓋体３０は、たとえば、５００ｇ／ｍ２以上７２０ｇ／ｍ２以下の坪量を有する板紙によって構成されている。
【００１１】
箱本体２０は長方体をなし、蓋体３０を開けた場合に露出される開口２０Ａを通してフィルムロール体４０（図２参照）が配置（収納）されるようになっている。図２に示すように、フィルムロール体４０は、円筒形の芯体４１にポリオレフィン系のラップフィルム４２がロール状に巻回されて構成されている。平面視した場合のフィルムロール体４０の大きさは箱本体２０の開口２０Ａより若干小さくなっている（図４参照）。
【００１２】
ラップフィルム４２は、ポリエチレン層とポリメチルペンテン層の積層構造からなっている。表１は、本発明で適用されるラップフィルム４２のうちたとえば２種（一方は添加剤として特殊樹脂を用いている）のラップフィルムを掲げ、それらの特性、すなわち、引張強さ（Ｎ／１５ｍｍ）、破断点伸び（％）、粘着度（ｍＮ／ｃｍ）、密着度（ｇ／ｃｍ２）、透明度（％）、および耐熱温度（℃）を示している。
【表１】
2015199526.tif 000003
【００１３】
この表１から明らかとなるように、ラップフィルム４２は６．５Ｎ／１５ｍｍ以上の縦方向（図２において矢印α方向）の引っ張り強度を有し、１７０％以下の縦方向の破断点の伸びを有する。このような特性を有するラップフィルム４２は、縦方向に延びることで、後述するように収納箱からのカットがし難くなるという不都合を有する。
【００１４】
図１に戻り、フィルムロール体４０を配置させる箱本体２０は、底面（図示せず）、前面２１、左側面（図示せず）、右側面２２、背面２３を有する箱状をなし、左側面（図示せず）および右側面２２の開口２０Ａ側の上辺には、それぞれ、折り曲げ可能に折込み片２４が形成されている。この折込み片２４には、開口２０Ａの面と面一になるように折り曲げることによって、後述の蓋体３０の閉塞後において容易に開くのを回避する蓋係止片２５が外方に突出するようになっている。
【００１５】
蓋体３０は、箱本体２０の開口２０Ａの一辺（背面２３を形成する辺）に折り曲げ可能に連結されている。蓋体３０は、それが箱本体２０の開口２０Ａを覆ったとき、上面３１、箱本体２０の前面２１を被う前対向面（この明細書において、前記一辺の対向辺を一つの辺とする対向面と称する場合がある）３２、箱本体２０の左側面（図示せず）を被う左対向面３３、箱本体２０の右側面２２を被う右対向面３４を有する。蓋体３０の上面３１に対する前対向面３２、左対向面３３、右対向面３４の高さ（たとえば約３０ｍｍ）は、箱本体２０の底面（図示せず）に対する前面２１、左側面（図示せず）、右側面２２の高さ（たとえば４５ｍｍ）より小さくなっている。このため、蓋体３０が箱本体２０の開口２０Ａを被ったとき、蓋体３０の前対向面３２の下端辺は、たとえば図中Ａ−Ａ線上に位置づけられるようになって、箱本体２０の前面２１の上部を被うようになっている。
【００１６】
蓋体３０の前対向面３２の下端辺には、該下端辺に沿って延在するカット刃５０が取付けられている。カット刃５０は、図１（ｂ）に示すように、帯状をなし、少なくとも一方の長手辺に鋸状の刃５０Ａが形成されたものを蓋体３０の前対向面３２の下端辺に接着されることによって取付けられている。カット刃５０は板紙製およびプラスチック製のいずれかが用いられている。カット刃５０として金属製のものを用いることも考えられるが、使い終わった後の収納箱１０の廃棄の不都合等から、上述した板紙製あるいはプラスチック製とすることが好ましい。
【００１７】
カット刃５０は、図３に示すように、箱本体２０内のフィルムロール体４０から引き出されたラップフィルム４２を、閉塞された蓋体３０によって押さえた状態で、ラップフィルム４２の一端を図中β方向へ引っ張ることにより、カット刃５０の延在方向に沿って切断できるようになっている。
【００１８】
この場合、図１に示すように、箱本体２０の前面２１であって、蓋体３０の前対向面３２で被われる領域に、箱本体２０から引き出されるフィルムロール体４０のラップフィルム４２を粘着する仮止め層６０が形成されている。仮止め層６０は、ラップフィルム４２の巻き戻り、端部めくれを防止するために形成され、開口２０Ａの一辺（蓋体３０が連結される辺との対向辺２８）に沿った帯状のニス塗布層によって形成されている。また、仮止め層６０は、左右に分離されたたとえば２個の仮止め層６０Ａ、６０Ｂからなっている。すなわち、仮止め層６０は箱本体２０の前面２１のほぼ中央に間隙部Ｇを有して対向辺２８に沿って箱本体２０の両脇へそれぞれ延在して形成されている。間隙部Ｇはたとえば５０ｍｍの間隙を有している。また、仮止め層６０Ａは、間隙部Ｇ側において幅狭（たとえば１０ｍｍ）に、箱本体２０の両脇のうち一方の側において幅広（たとえば３０ｍｍ）に形成され、全体としてたとえば台形をなす形状となっている。これにより、仮止め層６０Ａは、箱本体２０の両脇のうち一方の側において粘着強度を増大させることができるようになっている。同様に、仮止め層６０Ｂは、間隙部Ｇ側において幅狭（たとえば１０ｍｍ）に、箱本体２０の両脇のうち他方の側において幅広（たとえば３０ｍｍ）に形成され、全体としてたとえば台形をなす形状となっている。これにより、仮止め層６０Ｂは、箱本体２０の両脇のうち他方の側において粘着強度を増大させることができるようになっている。
【００１９】
そして、たとえば仮止め層６０Ａの場合、図４に示すように、箱本体２０の両脇のうち一方の側の端部は、箱本体２０から引き出されるラップフィルム４２から外側にはみ出るように形成されている（図中、はみ出し部を符号Ｅで示す）。これにより、箱本体２０から引き出されるラップフィルム４２を仮止め層６０Ａに粘着させる場合に、ラップフィルム４２の一方の側の端辺部においてめくれがなく確実に粘着させることができる。図４において図示されていないが、仮止め層６０Ｂにおいても同様の構成となっている。
【００２０】
このようにした場合、図３に示すように、箱本体２０内のフィルムロール体４０から引き出されたラップフィルム４２を仮止め層６０Ａに粘着させる場合、特に、ラップフィルム４２の一方の側の端辺部において、比較的強い粘着力で、めくれがなく確実に粘着させることができる。このため、蓋体３０の前対向面３２を箱本体２０の前面２１の側に親指で押した状態で、ラップフィルム４２の端辺を図中β方向に引っ張ることにより、該端辺の一部が確実にカット刃５０に引っ掛かり、続く引っ張る操作によってラップフィルム４２はカット刃５０の長手方向に沿って切断できるようになる。上述したように、ラップフィルム４２は縦方向（図２中符号α方向）に延びやすい性質を有するにも拘わらず、仮止め層６０ＡＳによってラップフィルム４２の該延びを抑制できるので、カット刃５０によるラップフィルム４２の確実な切断ができるようになる。このため、カット刃５０として特に金属製のものを用いる必要がなくなる効果を奏する。
なお、板紙からなる箱本体２０及び蓋体３０を、上述したように５００ｇ/ｍ２以上の坪量としたことから、ラップフィルム４２の引き出しから切断時において箱本体２０及び蓋体３０の変形が抑えられ、より安定したカットができる効果を奏するようになる。ちなみに、箱本体２０及び蓋体３０の坪量を７２０ｇ/ｍ２より大きくした場合、コストアップとなるばかりか、箱本体２０及び蓋体３０の加工性が損なわれることになる。
【００２１】
また、図１に示すように、箱本体２０の前面２１において、仮止め層６０Ａ、６０Ｂの間の間隙部Ｇの下方に凹状のエンボス７０が形成されている。図３に示すように、蓋体３０の前対向面３２をエンボス７０上で押圧させることにより、該前対向面３２を箱本体２０の前面２１に密着させることができ、カット刃５０によるラップフィルム４２の信頼性ある切断を行うようにできる。
【００２２】
なお、図１に戻り、蓋体３０の左対向面３３、右対向面３４の内側には、前対向面３２を折り曲げて形成した左折り曲げ片３５、右折り曲げ片（図示せず）が被着され、上面３１との間に幅狭の段差部３６を形成するようになっている。この段差部３６は、蓋体３０を箱本体２０の開口２０Ａを閉塞するようにした場合、箱本体２０の蓋係止片２５が係合され、蓋体３０が容易に開くのを回避できるようになっている。
【００２３】
（実施形態２）
図５（ａ）は、本発明の収納箱１０の実施形態２を示し、仮止め層６０Ａの変形したパターンを示した図である。図５（ａ）に示すように、仮止め層６０Ａは、その長手方向の一部に段差部６１を有し、これにより、仮止め層６０Ａは、箱本体２０の間隙部Ｇ（図１（ａ）参照）において幅狭に、箱本体２０の両脇のうち一方の側において幅広に形成されている。仮止め層６０Ｂにおいても同様のパターンとなっている。なお、段差部６１は１個に限らず複数であってもよい。仮止め層６０Ａ、６０Ｂをこのように構成するようにしても、実施形態１と同様な効果を奏する。
【００２４】
（実施形態３）
図５（ｂ）は、本発明の収納箱１０の実施形態３を示し、仮止め層６０Ａの変形したパターンを示した図である。図５（ｂ）に示すように、仮止め層６０Ａは、図５（ａ）に示したと同様に段差部６１を有するとともに、長手方向と直交する方向に形成される切り欠き部６２が長手方向に沿って複数設けられている。仮止め層６０Ｂにおいても同様のパターンとなっている。仮止め層６０Ａ、６０Ｂをこのように構成するようにしても、実施形態１と同様な効果を奏する。なお、このような切り欠き部６２は、実施形態１に示した仮止め層６０Ａ、６０Ｂにおいて形成するようにしてもよいことはいうまでもない。
【００２５】
（実施形態４）
図５（ｃ）は、本発明の収納箱１０の実施形態４を示し、仮止め層６０Ａの変形したパターンを示した図である。図５（ｃ）に示すように、仮止め層６０Ａは、図５（ａ）に示したと同様に段差部６１を有するとともに、長手方向と平行な方向に形成される切り欠き部６２’が長手方向と直交する方向に沿って複数設けられている。仮止め層６０Ｂにおいても同様のパターンとなっている。仮止め層６０Ａ、６０Ｂをこのように構成するようにしても、実施形態１と同様な効果を奏する。なお、このような切り欠き部６２’は、実施形態１に示した仮止め層６０Ａ、６０Ｂにおいて形成するようにしてもよいことはいうまでもない。
【００２６】
（実施形態５）
図５（ｄ）は、本発明の収納箱１０の実施形態５を示し、仮止め層６０Ａの変形したパターンを示した図である。図５（ｄ）に示すように、仮止め層６０Ａは、実施形態１に示した仮止め層６０Ａと同様のパターンとなっているが、該パターンは、ドットからなる複数のニス塗布層が均一に配置された集合体によって形成されている。仮止め層６０Ｂにおいても同様のパターンとなっている。仮止め層６０Ａ、６０Ｂをこのように構成するようにしても、実施形態１と同様な効果を奏する。なお、このようなパターンにおいて、実施形態１に示したような段差部を設けるようにしてもよいことはいうまでもない。
【００２７】
（実施形態６）
図５（ｅ）は、本発明の収納箱１０の実施形態６を示し、仮止め層６０Ａの変形したパターンを示した図である。図５（ｅ）に示すように、仮止め層６０Ａは、実施形態５に示したように、ドットからなる複数のニス塗布層が配置された集合体によって形成されたものとなっているが、幅狭の部分から幅広の部分にかけて、ドットの配置密度が順次密となるようになっている。仮止め層６０Ｂにおいても同様のパターンとなっている。仮止め層６０Ａ、６０Ｂをこのように構成するようにしても、実施形態１と同様な効果を奏する。なお、このようなパターンにおいて、実施形態２に示したような段差部（図５（ａ）参照）を設けるようにしてもよいことはいうまでもない。
【００２８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２９】
１０              収納箱
２０              箱本体
２０Ａ            開口
２１              前面
２２              右側面
２３              背面
２４              折込み片
２５              蓋係止片
２８              対向辺
３０              蓋体
３１              上面
３２              前対向面
３３              左対向面
３４              右対向面
４０              フィルムロール体
４１              芯体
４２              ラップフィルム
５０              カット刃
６０              仮止め層
６０Ａ            仮止め層
６０Ｂ            仮止め層
６１              段差部
６２              切欠き部
７０              エンボス
【図１】
2015199526.tif 000004
【図２】
2015199526.tif 000005
【図３】
2015199526.tif 000006
【図４】
2015199526.tif 000007
【図５】
2015199526.tif 000008